(57)【要約】【課題】現在表示されているページを変えずに、その前後のページの内容を表示することができるコンテンツ表示端末及びコンテンツ表示制御プログラムの提供。【解決手段】タッチ操作が可能な矩形状の表示エリアを備え、当該表示エリアに、各ページが表面及び裏面からなるコンテンツが表示されるコンテンツ表示端末において、前記表示エリアを、当該表示エリアの１つの角を含む多角形の第２の領域と、前記第２の領域を折り返した第３の領域と、前記第２の領域及び前記第３の領域以外の第１の領域と、に分割し、前記第１の領域に、予め選択されたページの表面の画像を表示させ、前記第２の領域に、Ｎページの表面の画像を表示させ、前記第３の領域に、Ｎ−１ページの裏面の画像を表示させ、前記タッチ操作により、前記第２の領域及び前記第３の領域に表示されるページを順次、連続して切り替える。【選択図】図４
2010204891.tif 000002
【特許請求の範囲】
【請求項１】
タッチ操作が可能な矩形状の表示エリアを備え、当該表示エリアに、各ページが表面及び裏面からなるコンテンツが表示されるコンテンツ表示端末において、
前記コンテンツを記憶する記憶部と、前記コンテンツの表示を制御する制御部と、を少なくとも備え、
前記制御部は、
前記表示エリアを、当該表示エリアの１つの角を含む多角形の第２の領域と、前記第２の領域を前記角に対向する辺を線対称の軸として折り返した第３の領域と、前記第２の領域及び前記第３の領域以外の第１の領域と、に分割し、
前記第１の領域に、全ページ（Ｘページ）の中から予め選択されたページの表面の画像を表示させ、
前記第２の領域に、Ｎ（Ｎは１以上、Ｘ以下の整数）ページの表面の画像を表示させ、
前記第３の領域に、Ｎ−１（Ｎが１の場合はＸ）ページの裏面の画像を表示させ、
前記タッチ操作により、前記第２の領域及び前記第３の領域に表示されるページを順次、連続して切り替える、ことを特徴とするコンテンツ表示端末。
【請求項２】
前記制御部は、
前記表示エリアの所定の領域で前記タッチ操作が行われた場合に、
タッチ開始位置及び時刻とタッチ終了位置及び時刻とに基づいて、ページの切り替え速度及び前記第２の領域の形状を決定する、ことを特徴とする請求項１に記載のコンテンツ表示端末。
【請求項３】
前記制御部は、
前記タッチ開始位置及び時刻と前記タッチ終了位置及び時刻とに基づいて、タッチの軌跡の長さ、方向及び軌跡を描いた時間を算出し、前記軌跡を描いた時間及び／又は前記軌跡の長さに基づいて、前記ページの切り替え速度を決定し、前記軌跡の長さ及び方向に基づいて、前記第２の領域の形状を決定する、ことを特徴とする請求項２に記載のコンテンツ表示端末。
【請求項４】
前記制御部は、
前記ページの切り替え動作中に、前記表示エリアの所定の領域で前記タッチ操作が行われた場合に、
前記軌跡の方向と、前記軌跡を描いた時間及び／又は前記軌跡の長さと、に基づいて、前記ページの切り替え速度を変更し、前記軌跡の長さ及び方向に基づいて、前記第２の領域の形状を変更する、ことを特徴とする請求項３に記載のコンテンツ表示端末。
【請求項５】
前記制御部は、
前記軌跡の方向が、前記表示エリアの周縁部に向かう方向か中心部に向かう方向かに応じて、ページの送り方向を変更する、ことを特徴とする請求項４に記載のコンテンツ表示端末。
【請求項６】
タッチ操作が可能な矩形状の表示エリアを備え、当該表示エリアに、各ページが表面及び裏面からなるコンテンツが表示されるコンテンツ表示端末で動作するコンテンツ表示制御プログラムであって、
前記コンテンツ表示端末を、
前記表示エリアを、当該表示エリアの１つの角を含む多角形の第２の領域と、前記第２の領域を前記角に対向する辺を線対称の軸として折り返した第３の領域と、前記第２の領域及び前記第３の領域以外の第１の領域と、に分割し、
前記第１の領域に、全ページ（Ｘページ）の中から予め選択されたページの表面の画像を表示させ、
前記第２の領域に、Ｎ（Ｎは１以上、Ｘ以下の整数）ページの表面の画像を表示させ、
前記第３の領域に、Ｎ−１（Ｎが１の場合はＸ）ページの裏面の画像を表示させ、
前記タッチ操作により、前記第２の領域及び前記第３の領域に表示されるページを順次、連続して切り替える制御部、として機能させることを特徴とするコンテンツ表示制御プログラム。
【請求項７】
前記制御部は、
前記表示エリアの所定の領域で前記タッチ操作が行われた場合に、
タッチ開始位置及び時刻とタッチ終了位置及び時刻とに基づいて、ページの切り替え速度及び前記第２の領域の形状を決定する、ことを特徴とする請求項６に記載のコンテンツ表示制御プログラム。
【請求項８】
前記制御部は、
前記タッチ開始位置及び時刻と前記タッチ終了位置及び時刻とに基づいて、タッチの軌跡の長さ、方向及び軌跡を描いた時間を算出し、前記軌跡を描いた時間及び／又は前記軌跡の長さに基づいて、前記ページの切り替え速度を決定し、前記軌跡の長さ及び方向に基づいて、前記第２の領域の形状を決定する、ことを特徴とする請求項７に記載のコンテンツ表示制御プログラム。
【請求項９】
前記制御部は、
前記ページの切り替え動作中に、前記表示エリアの所定の領域で前記タッチ操作が行われた場合に、
前記軌跡の方向と、前記軌跡を描いた時間及び／又は前記軌跡の長さと、に基づいて、前記ページの切り替え速度を変更し、前記軌跡の長さ及び方向に基づいて、前記第２の領域の形状を変更する、ことを特徴とする請求項８に記載のコンテンツ表示制御プログラム。
【請求項１０】
前記制御部は、
前記軌跡の方向が、前記表示エリアの周縁部に向かう方向か中心部に向かう方向かに応じて、ページの送り方向を変更する、ことを特徴とする請求項９に記載のコンテンツ表示制御プログラム。
【発明の詳細な説明】
【技術分野】
【０００１】
本発明は、コンテンツ表示端末及びコンテンツ表示制御プログラムに関し、特に、タッチ操作によりコンテンツのページめくりが可能なコンテンツ表示端末及び当該コンテンツ表示装置で動作するコンテンツ表示制御プログラムに関する。
【背景技術】
【０００２】
近年、電子ペーパーや電子ブック等の薄型の表示端末が開発されており、この表示端末を用いて資料や書籍などのコンテンツを閲覧するユーザが増えている。このような表示端末（以下、コンテンツ表示端末と呼ぶ。）では、特定のボタンや場所をクリックするとページの切り替え（以下、ページめくりと呼ぶ。）の開始／停止を行うことが可能である。
【０００３】
しかしながら、紙媒体であれば、指や手の感覚によりページめくりの大きさや速さを自由に調整することができるが、上記特定のボタンや場所をクリックする方法では、めくりたいページを自由な速さで探すことができない。そこで、コンテンツ表示端末においても、従来の紙媒体と同様な感覚でページめくり操作を可能にする方法が求められている。
【０００４】
ページめくりの操作性を改善する技術として、例えば、下記特許文献１には、プラスチック導電性発光素子を用いた表示部の周辺に設けられた圧力センサを有する複数の操作スイッチを備えた薄型表示端末が開示されており、周辺に設けられた圧力センサのタッチによりページめくりの速度を変える方法が記載されている。
【０００５】
また、下記特許文献２には、早ページめくり手段と、半ページめくり手段と、メモ廃棄のジェスチャー手段とを備えたペン入力型のパーソナル携帯端末が開示されており、ペンタッチする場所により、ページ早めくりと半ページめくりができるようにする方法が記載されている。
【０００６】
また、下記特許文献３には、表示部に接触した指の接触圧力及び接触面積の少なくとも一方と指の接触位置を検出する指入力検出手段と、検出された指の接触圧力及び接触面積の少なくとも一方と指の移動方向に基づき、ページめくり入力の有無を判断するページめくり入力判断手段と、ページめくり入力がされたと判断された場合に、現在表示部に出力されているページの画像情報をその前後いずれかのページの画像情報に更新するページ画像更新手段と、を含む携帯情報機器が開示されており、表示部に接触した指の圧力または面積と、接触位置／移動方向から、ページめくりの有無と速度を決定する方法が記載されている。
【０００７】
また、下記特許文献４には、利用者がページめくりの指示を行うためのページめくり指示部と、前記ページめくり指示部で指示されたページめくりの位置と予め規定された基準点又は基準線との距離を計算する距離計算部と、前記距離計算部で生成される前記距離の情報に基づいてページめくりの速度を計算するページめくり速度計算部と、電子ブックの各ページに表示すべき内容を蓄積しているページ情報蓄積部と、前記ページめくり速度計算部で計算された前記ページめくりの速度で前記ページ情報蓄積部に蓄積された内容を順次出力するページめくり制御部と、前記ページめくり制御部装置から出力される前記内容を表示する表示部と、からなる電子ブック表示端末が開示されており、ある基準点／線からの距離に従ってページめくりの速度を変える方法が記載されている。
【０００８】
また、下記特許文献５には、表示部に加えられた曲がりの方向、曲がりの量および曲がりの継続時間の少なくともいずれか１つを検出する手段と、検出された曲がりの方向、曲がりの量および曲がりの継続時間の少なくともいずれか１つからページめくり入力の有無を判断し、ページめくり入力が有と判断された場合に表示部に出力される情報を更新する手段と、を有する情報機器が開示されており、電子ペーパーを物理的に曲げた量に対応したページめくりを行う方法が記載されている。
【先行技術文献】
【特許文献】
【０００９】
【特許文献１】特開２００２−３７３０４５号公報
【特許文献２】特開平９−４４３３６号公報
【特許文献３】特開２０００−１６３１９３号公報
【特許文献４】特開平７−５６９３５号公報
【特許文献５】特開２００４−３１８１２３号公報
【発明の概要】
【発明が解決しようとする課題】
【００１０】
しかしながら、従来のページめくりは、あるページが表示されている状態でページめくりが指示されると、現在表示されているページを指示されたページに切り替える方法であり、この方法では、あるページを表示させたまま、その前後のページの内容を確認することができないという問題があった。
【００１１】
また、上記各特許文献に記載された技術は、いずれもページめくりの操作性を改善するものであるが、一度のペン操作で、ページめくりの速度と形状を指定して実行したり、ページめくりの速度を加減速したり、ページめくりの形状を変更したりすることができないため、紙媒体と同様な感覚でページめくり操作ができないという問題もあった。
【００１２】
本発明は、上記問題点に鑑みてなされたものであって、その主たる目的は、現在表示されているページを変えずに、その前後のページの内容を表示することができるコンテンツ表示端末及びコンテンツ表示制御プログラムを提供することにある。
【００１３】
また、本発明の他の目的は、一度のペン操作で、ページめくりの速度及び形状を指定することができるコンテンツ表示端末及びコンテンツ表示制御プログラムを提供することにある。
【課題を解決するための手段】
【００１４】
上記目的を達成するため、本発明は、タッチ操作が可能な矩形状の表示エリアを備え、当該表示エリアに、各ページが表面及び裏面からなるコンテンツが表示されるコンテンツ表示端末において、前記コンテンツを記憶する記憶部と、前記コンテンツの表示を制御する制御部と、を少なくとも備え、前記制御部は、前記表示エリアを、当該表示エリアの１つの角を含む多角形の第２の領域と、前記第２の領域を前記角に対向する辺を線対称の軸として折り返した第３の領域と、前記第２の領域及び前記第３の領域以外の第１の領域と、に分割し、前記第１の領域に、全ページ（Ｘページ）の中から予め選択されたページの表面の画像を表示させ、前記第２の領域に、Ｎ（Ｎは１以上、Ｘ以下の整数）ページの表面の画像を表示させ、前記第３の領域に、Ｎ−１（Ｎが１の場合はＸ）ページの裏面の画像を表示させ、前記タッチ操作により、前記第２の領域及び前記第３の領域に表示されるページを順次、連続して切り替えるものである。
【００１５】
また、本発明は、タッチ操作が可能な矩形状の表示エリアを備え、当該表示エリアに、各ページが表面及び裏面からなるコンテンツが表示されるコンテンツ表示端末で動作するコンテンツ表示制御プログラムであって、前記コンテンツ表示端末を、前記表示エリアを、当該表示エリアの１つの角を含む多角形の第２の領域と、前記第２の領域を前記角に対向する辺を線対称の軸として折り返した第３の領域と、前記第２の領域及び前記第３の領域以外の第１の領域と、に分割し、前記第１の領域に、全ページ（Ｘページ）の中から予め選択されたページの表面の画像を表示させ、前記第２の領域に、Ｎ（Ｎは１以上、Ｘ以下の整数）ページの表面の画像を表示させ、前記第３の領域に、Ｎ−１（Ｎが１の場合はＸ）ページの裏面の画像を表示させ、前記タッチ操作により、前記第２の領域及び前記第３の領域に表示されるページを順次、連続して切り替える制御部、として機能させるものである。
【発明の効果】
【００１６】
本発明のコンテンツ表示端末及びコンテンツ表示制御プログラムによれば、下記記載の効果を奏する。
【００１７】
本発明の主たる効果は、現在表示されているページを変えずに、その前後のページの内容を表示することができるということである。
【００１８】
その理由は、コンテンツ表示端末の制御部（コンテンツ表示制御プログラム）は、表示エリアを主たる第１の領域と、表示エリアの１つの角を含む多角形の第２の領域と、第２の領域を当該角に対向する辺で折り返した第３の領域とに分割し、第１の領域には予め選択されたページの表面の画像を表示し、第２の領域にはＮ（Ｎは１以上の整数）ページの表面の画像を表示し、第３の領域にはＮ−１ページの裏面の画像を表示し、表示エリア内の所定の領域でタッチ操作が行われた場合に、第１の領域に表示されるページは変えずに、第２の領域及び第３の領域に表示されるページを順次、連続して切り替える制御を行うからである。
【００１９】
また、本発明の他の効果は、一度のペン操作で、ページめくりの速度及び形状を指定することができるということである。
【００２０】
その理由は、コンテンツ表示端末の制御部（コンテンツ表示制御プログラム）は、表示エリア内の所定の領域におけるタッチ開始位置／時刻とタッチ終了位置／時刻とに基づいて、軌跡の長さ、方向及び軌跡を描いた時間を演算し、それらに基づいてページを切り替える速度（時間間隔）及び第２の領域の形状を決定／変更する制御を行うからである。
【図面の簡単な説明】
【００２１】
【図１】本発明の一実施例に係るコンテンツ表示端末の構成を示すブロック図である。
【図２】本発明の一実施例に係るコンテンツ表示端末の表示部／入力部におけるめくり開始エリアを示す平面図である。
【図３】本発明の一実施例に係るコンテンツ表示端末の表示部／入力部における各画像表示領域を示す平面図である。
【図４】本発明の一実施例に係るページめくりの方法を説明する図である。
【図５】本発明の一実施例に係るページめくりにおけるペンタッチを定義する図である。
【図６】本発明の一実施例に係るページめくりの一例を示す図である。
【図７】本発明の一実施例に係るページめくりの他の例を示す図である。
【図８】本発明の一実施例に係るページめくりの他の例を示す図である。
【図９】本発明の一実施例に係るページめくり速度の変更例を示す図である。
【図１０】本発明の一実施例に係るページめくり形状の変更例を示す図である。
【図１１】本発明の一実施例に係るページめくり処理の流れを示すフローチャート図である。
【図１２】本発明の一実施例に係るページめくり処理における画像表示の流れを示すフローチャート図である。
【発明を実施するための形態】
【００２２】
背景技術で示したように、コンテンツ表示端末を従来の紙媒体と同様に操作できるようにするための様々な方法が提案されている。しかしながら、従来の方法はページめくり操作に対して表示内容の全てが変更されるため、特定のページを表示させつつ、ページの端のみをめくって前後のページの内容を確認するといった操作を行うことができなかった。  
【００２３】
また、従来の方法は、ページのめくり方を指示するために複数の操作が必要であり、一度のペン操作で、ページめくりの速度と形状を指定して実行したり、ページめくりの速度を加減速したり、ページめくりの形状を変更したりすることができないという問題があった。
【００２４】
そこで、本実施の形態では、現在表示されているページを変えず、その前後のページの内容を確認することができるように表示を制御すると共に、一度のペン操作で、ページめくりの速度及び形状を指定することができるようにする。
【００２５】
具体的には、画面へのペンタッチ又は指タッチによる操作が可能なタッチパネルを備えたコンテンツ表示端末において、表示エリアを主たる第１の領域（現ページ画像表示領域）と、表示エリアの右上、右下、左上、左下のいずれかの角を含む多角形（好ましくは三角形）の第２の領域（めくりページ画像表示領域）と、めくりページ画像表示領域を当該角に対向する辺を線対称の軸として折り返した第３の領域（裏面画像表示領域）とに分割し、第１の領域には全ページ（Ｘページ）の中から予め選択されたページの表面の画像を表示し、第２の領域にはＮ（Ｎは１以上、Ｘ以下の整数）ページの表面の画像を表示し、第３の領域にはＮ−１（Ｎが１の場合はＸ）ページの裏面の画像を表示し、所定の領域にて所定のタッチ操作が行われた場合に、第１の領域に表示されているページは変えずに、第２の領域及び第３の領域に表示されているページを順次、連続して前後のページに切り替える制御を行う。
【００２６】
また、所定の領域にて所定のタッチ操作が行われた場合に、タッチ開始位置／時刻とタッチ終了位置／時刻とに基づいて、軌跡の長さ、方向及び軌跡を描いた時間を算出し、それらに基づいて、ページを切り替える速さ（時間間隔）及び第２の領域の形状を決定／変更する制御を行う。
【実施例】
【００２７】
上記した本発明の一実施の形態についてさらに詳細に説明すべく、本発明の一実施例に係るコンテンツ表示端末及びコンテンツ表示制御プログラムについて、図１乃至図１２を参照して説明する。図１は、本実施例のコンテンツ表示端末の構成を示すブロック図である。また、図２及び図３は、表示部（入力部）の各領域を説明する図であり、図４は、本実施例のページめくりの方法を説明する図である。また、図５乃至図１０は、ページめくりの具体例を示す図であり、図１１及び図１２は、本実施例のページめくりの手順を示すフローチャート図である。
【００２８】
なお、本明細書において、コンテンツのページは、各々、表面と裏面とで構成されるものとする。すなわち、本明細書におけるページとは１枚の紙媒体に相当する。
【００２９】
図１に示すように、本実施例のコンテンツ表示端末１０は、ＣＰＵ（Central Processing Unit）１１、ＲＯＭ（Read Only Memory）１２、ＲＡＭ（Random Access Memory）１３、表示部１４、入力部１５などから構成されている。
【００３０】
ＣＰＵ１１は、各部の動作を制御する。
【００３１】
ＲＯＭ１２は、主制御部１２ａとして機能するプログラム等の各種プログラムを記憶し、これらのプログラムはＣＰＵ１１で実行される。主制御部１２ａは、表示部１４にコンテンツの各ページの画像を表示させる機能を備え、ページめくりが指示された場合に、現在表示しているページは変えずに、表示部１４の１つの角を含む領域及びその領域を折り返した領域に、順次、連続して前後のページの表裏面の画像を表示させる制御を行う。また、タッチ開始位置／時刻とタッチ終了位置／時刻とに基づいて軌跡を求め、軌跡の長さ、方向及び軌跡を描いた時間から、ページめくりの速さ（時間間隔）及び形状を決定／変更する制御を行う。なお、この主制御部１２ａの制御は、プログラム（コンテンツ表示制御プログラム）として実行してもよいし、ハードウェアとして実行してもよい。
【００３２】
ＲＡＭ１３は、各種データを記憶する部分であり、ページデータ格納部１３ａと、制御情報格納部１３ｂなどを備える。ページデータ格納部は、取得したコンテンツの各ページの画像などを記憶する。制御情報格納部は、コンテンツ表示端末１０の動作を制御するための設定情報などを記憶する。
【００３３】
表示部１４は、液晶表示装置（ＬＣＤ：Liquid Crystal Display）や有機ＥＬ（electroluminescence）表示装置等からなり、各ページの表面又は裏面の画像を表示する。
【００３４】
入力部１５は、表示部１４上に、透明電極が格子状に配置された感圧式のタッチパネルであり、手指やタッチペン等で押下された力点のＸＹ座標を電圧値で検出し、検出された位置信号を操作信号としてＣＰＵ１１に出力する。
【００３５】
なお、図１は本実施例のコンテンツ表示端末１０の基本構成であり、複数ページからなるコンテンツの任意のページを表示することが可能である限りにおいて、その構成は適宜変更可能である。例えば、コンテンツを格納するＨＤＤ（Hard Disk Drive）を備えていてもよいし、ＮＩＣ（Network Interface Card）やモデムなどで構成される通信部を備え、ＬＡＮ（Local Area Network）やＷＡＮ（Wide Area Network）などのネットワークを介してコンテンツを取得できるようにしてもよい。
【００３６】
また、本実施例のコンテンツ表示端末１０は、コンテンツのページを表示するための装置（例えば、電子ペーパーや電子ブック、電子手帳）としてもよいし、他の機能を備える装置（例えば、画像形成装置（ＭＦＰ：Multi Function Peripheral）や携帯電話機、ＰＤＡ（Personal Digital Assistants）、コンピュータ端末）に上記主制御部１２ａとしての機能を持たせてもよい。
【００３７】
図２は、本実施例のコンテンツ表示端末１０の概観構成の例を示す図である。ここでは、コンテンツ表示端末１０を電子ペーパーとしており、コンテンツ表示端末１０の前面に、各ページの画像の表示とタッチペンや指などからの入力操作を受付けるタッチパネル（表示部１４／入力部１５）が設けられている。
【００３８】
表示部１４／入力部１５の全面を表示エリア２０と呼び、表示エリア２０の任意の角を含む領域をめくり開始エリア２１と呼ぶ。以下では、めくり開始エリア２１は右上にあるものとするが、左上、右下、左下であってもよく、その場合は以下で記載される処理をそれぞれ左右対称または上下対称で考えればよい。また、表示エリア２０の任意の辺を含む領域をめくり開始エリア２１としてもよく、その場合は辺上の任意の点を以下の処理の原点として考えればよい。
【００３９】
図３は、Ｘページから成るコンテンツの表示において、Ｎページ目が表示され、１回目のページめくりが行われたときの表示例を示し、図４は、順次ページめくりが行われたときの表示例を示す。
【００４０】
現ページ画像表示領域２２には、Ｎページ目の表面の画像が表示され、裏面画像表示領域２３には、Ｎページ目の裏面のその領域に対応する部分の画像（Ｎページ目の裏面の左上の画像）が表示され、めくりページ画像表示領域２４には、Ｎ＋１ページ目の表面のその領域に対応する部分の画像（Ｎ＋１ページ目の表面の右上の画像）が表示される。
【００４１】
この時、２回目のページめくりが行われると、図４（ａ）に示すように、現ページ画像表示領域２２の画像（Ｎページの表面の画像）は変わらず、裏面画像表示領域２３には、Ｎ＋１ページ目の裏面の画面が表示され、めくりページ画像表示領域２４には、Ｎ＋２ページ目の表面の画像が表示される。同様に、ＮページからＭ回のページめくりが行われると、現ページ画像表示領域２２の画像（Ｎページの表面の画像）は変わらず、裏面画面表示領域２３には、Ｎ＋Ｍ−１ページ目の裏面の画像が表示され、めくりページ画像表示領域２４には、Ｎ＋Ｍページ目の表面の画像が表示される。
【００４２】
ページめくり動作が終了し、表示すべきページＬが確定すると、現ページ画像表示領域２２にはＬページ目の表面の画像が表示され、裏面画像表示領域２３及びめくりページ画像表示領域２４の表示が停止、若しくは、それぞれＬページ目の表面の画像のその領域に対応する画像が表示される。すなわち、表示エリア２０全面に、Ｌページ目の表面の画像が表示される。
【００４３】
ここで、本実施例のページめくりの概念と従来のページめくりの概念とを比較すると、従来のページめくりの概念は、図４（ｃ）に示すように、冊子を１ページずつ完全にめくる概念であり、現ページ画像表示領域２２と裏面画像表示領域２３とめくりページ画像表示領域２４とが連動して順次ページが入れ替わるようにしている。
【００４４】
例えば、現ページ画像表示領域２２にＮページ目の表面の画像、裏面画像表示領域２３にＮページ目の裏面の画像、めくりページ画像表示領域２４にＮ＋１ページ目の表面の画像が表示されている状態で２回目のページめくりが行われると、現ページ画像表示領域２２にＮ＋１ページ目の表面の画像、裏面画像表示領域２３にＮ＋１ページ目の裏面の画面、めくりページ画像表示領域２４にＮ＋２ページ目の表面の画像が表示されていた。
【００４５】
この方法は、コンテンツの各ページを順番に閲覧する使用形態においては有効であるが、現在のページを閲覧している状態で先や前のページに何が記載されているかを確認する場合には不便である。
【００４６】
一方、本実施例のページめくりの概念は、図４（ｂ）に示すように、冊子の角のみを１ページずつめくる概念であり、現ページ画像表示領域２２のページは変えずに、裏面画像表示領域２３とめくりページ画像表示領域２４とが連動して順次ページが入れ替わるようにしている。即ち、本実施例のページめくり（ページの角めくり）と従来のページめくりとは概念が全く異なるものである。
【００４７】
なお、裏面画像表示領域２３に表示する画像は、実際に紙媒体の角を折り返したように表示（すなわち、現ページ画像表示領域２２の画像に対して傾けて表示）してもよいし、画像処理を簡便にするために、現ページ画像表示領域２２の画像と同じ向きに表示してもよい。
【００４８】
また、本実施例では、各ページが表面及び裏面で構成されるコンテンツを、表面側を上にしてページめくりを行う場合を想定して、現ページ画像表示領域２２及びめくりページ画像表示領域２４にページの表面の画像を表示し、裏面画像表示領域２３にページの裏面の画像を表示しているが、ページの表面と裏面は便宜上の区別であり、表面と裏面は逆にしてもよい。
【００４９】
以下、ページめくりの指示動作について詳細に説明する。
【００５０】
図５は、ペンタッチ又は指タッチ（以下、ペンタッチとして記載する。）によるページめくり操作を示す。一つのページめくり操作は、画面へのタッチから始まり、タッチした状態でペン又は指を画面上で移動させ、画面からタッチを外すことで終了する。ペンタッチ開始位置をＰｏｎ、その時刻をＴｏｎとし、ペンタッチ終了位置をＰｏｆｆ、その時刻をＴｏｆｆとする。開始位置と終了位置で定義される線をペンの軌跡と呼ぶ。ペンの軌跡の長さＰｌｅｎはＰｏｎとＰｏｆｆの距離となり、軌跡を描いた時間（タッチ時間）ＴｄｒａｗはＴｏｆｆ−Ｔｏｎで求められる。また、表示エリア２０の垂直方向とペンの軌跡とが成す角度をＰｄとする。
【００５１】
［ページめくりの開始］
ページめくりが行われておらず、Ｎページ目の画像が表示エリア２０の全面に表示された状態において、ペンタッチ操作によりペンの軌跡が確定すると、主制御部１２ａ（コンテンツ表示制御プログラム）は、そのペンタッチ開始位置が、めくり開始エリア２１内であるかを判定し、めくり開始エリア２１内であった場合、以下のページめくり処理を開始する。めくり開始エリア２１内でない時は、その他の通常入力の処理を行う。
【００５２】
ページめくりは、前記ペンの軌跡に基づいて、そのページめくりの速度（時間間隔）と形状（形及び大きさ）が決定され、次のペンの軌跡を検出するまでは、ここで決定された速度と形状にて、ページめくりを自動的に繰り返す。めくるページがコンテンツの最終ページとなった場合には、最初のページに戻ってページめくり動作を継続するか、若しくは、ページめくり動作を終了する。
【００５３】
（１）ページめくりの速度
１ページのめくり処理の後、自動的に次のページをめくるまでの間隔のことをページめくりの時間間隔Ｔｉｎｃと定義し、その時間間隔を、ページめくりの開始時のペンの軌跡を描いた時間Ｔｄｒａｗに基づいて決定する。
【００５４】
例えば、ページめくりの時間間隔Ｔｉｎｃ＝Ｔｄｒａｗ（秒）×１．２とした場合は、Ｔｄｒａｗが０．５秒であれば、ページめくりの時間間隔Ｔｉｎｃは０．６秒となる。なお、ページめくりの時間間隔は単純にＴｄｒａｗに比例させなくてもよく、Ｔｄｒａｗから任意の演算によってＴｉｎｃを算出してもよい。また、ＴｄｒａｗとＰｌｅｎの関係からの演算によって決定してもよい。例えば、Ｔｉｎｃ＝ｘ÷（Ｐｌｅｎ／Ｔｒａｗ）（ｘは任意の定数）とすれば、ペンの軌跡を描いた時のペンの移動速度に比例してページめくりの時間間隔を決定することができる。
【００５５】
（２）ページめくりの形状
ページめくりを開始した際のペンの軌跡によって、ページめくりの形状を算出する。具体的には、図６に示すように、めくり開始エリア２１のある表示部１４の角を原点（０点）とし、０点からペンの軌跡の角度Ｐｄの方向に一定の長さＬ１の線分Ｌｉｎｅ１を引いた点をＭとする。Ｌ１は、Ｐｌｅｎの長さから任意に算出され、例えば、Ｌ１＝Ｐｌｅｎ×３などとする。線分Ｌｉｎｅ１とＭ点で垂直に交わる直線をＬｉｎｅ２とし、Ｌｉｎｅ２が表示エリア２０の周縁部と交わる点をそれぞれＮ１、Ｎ２とする。また、０点のＬｉｎｅ２に対して線対称となる点をＮ３とする。
【００５６】
そして、Ｎ１、Ｎ２、０点で形成される図形をめくりページ画像表示領域２４とする。また、めくりページ画像表示領域２４をＬｉｎｅ２で折り返した図形を裏面画像表示領域２３とする。その際、図７（ａ）に示すように、裏面画像表示領域２３が表示エリア２０からはみ出す場合は、表示エリア２０に収まる領域だけを裏面画像表示領域２３とすればよい。
【００５７】
このように、軌跡の長さ及び方向から算出されるＬｉｎｅ２の位置により、めくりページ画像表示領域２４、及び、裏面画像表示領域２３は三角形（図６参照）、又は、多角形（図７（ａ）参照）となる。
【００５８】
なお、めくられたページの厚みを表現するために、図７（ｂ）に示すように、めくられたページ数に比例して、Ｎ１とＮ３を結ぶ線分及びＮ３とＮ２を結ぶ線分の太さを変えてもよい。
【００５９】
また、ページの軌跡の開始位置において、一定時間以上ペンが留まった状態から、ペンの軌跡が作成された場合、一度に大量のページをめくる操作と判断し、一回のページめくりを行うページ数を、任意の複数ページとしてもよい。
【００６０】
また、図８に示すように、表示エリア２０内にページ全体のレイアウトを持つ場合、ページレイアウト外をめくり開始エリア２１とし、ペンの軌跡の開始位置がページレイアウト外であり、終了位置がページレイアウト内であった場合に、一度に大量のページをめくる操作と判断してもよい。
【００６１】
［ページめくり中の速度変更］
ページめくり動作中に、新たなペンの軌跡を検出すると、ページめくりの速度／形状の変更、又は、ページめくりの終了を行う。
【００６２】
例えば、図９に示すように、ページめくり動作中に検出した新たなペンの軌跡の開始位置がめくりページ画像表示領域２４であった場合、その開始位置Ｐｏｎと終了位置Ｐｏｆｆの座標を求め、ペンの軌跡の開始から終了への方向が０点に近づく方向であれば、ページめくり速度を落とす（ページめくりの時間間隔を長くする）動作をし、０点から離れる方向であればページめくり速度を早める（ページめくりの時間間隔を短くする）動作をする。
【００６３】
この速度の加算・減算は、軌跡の長さ、又は、０点に対してどれだけ離れた（近づいた）かに応じて行うことができる。また、加算・減算は、軌跡を描いた時間、軌跡を描いた時のペンの移動速度、または、ペンの圧力に基づいて演算してもよい。速度の減算の結果、速度がマイナスとなる場合は、逆方向のページめくりを行う。
【００６４】
例えば、ＮページからＭページめくりが行われ、裏面画像表示領域２３に、Ｎ＋Ｍ−１ページ目の裏面の画像が表示され、めくりページ画像表示領域２４に、Ｎ＋Ｍページ目の表面の画像が表示されている状態において、逆方向のページめくりが一回行われると、Ｍは１減算されるので、裏面画像表示領域２３には、Ｎ＋Ｍ−２ページ目の裏面の画像が表示され、めくりページ画像表示領域２４には、Ｎ＋Ｍ−１ページ目の表面の画像が表示される。
【００６５】
なお、加算・減算の代わりに、軌跡の長さ、軌跡を描いた時間、軌跡を描いた時のペンの移動速度のいずれか、もしくは任意の組み合わせに基づく演算に応じて、直接ページめくり速度を決定してもよい。この場合は、ペンの軌跡の開始から終了への方向が０点に近づく方向であれば、ページめくりを行う動作をし、０点から離れる方向であれば逆方向のページめくりを行う動作をする。
【００６６】
また、ページめくり動作中に検出した新たなペンの軌跡の開始位置が裏面画像表示領域２３であった場合にも、新たなペンの軌跡の開始位置がめくりページ画像表示領域２４であった場合と同じ処理を行ってもよい。
【００６７】
また、ページめくり動作中に検出した新たなペンの軌跡の開始位置がめくりページ画像表示領域２４であった場合はページめくりを行う動作をし、裏面画像表示領域２３であった場合は逆方向のページめくりを行う動作をするようにしてもよい。
【００６８】
［ページめくり中の形状変更］
ページめくり動作中に検出した新たなペンの軌跡の開始位置が裏面画像表示領域２３であった場合、そのペンの軌跡に基づき、ページめくりの形状を変更する。
【００６９】
図１０にページめくりの形状の変更の様子を示す。ここでは、図１０（ａ）に示すように、０点から３０°の角度の間隔で２本の直線ＬＬ１とＬＬ２を引き、それらにより分割される裏面画像表示領域２３の各領域を、それぞれ、Ａ１領域、Ａ２領域、Ａ３領域とする。
【００７０】
図１０（ｂ）に示すように、新たなペンの軌跡の開始位置がＡ１領域であった場合、ペンの軌跡の開始位置とＮ２を結ぶ直線ＬＬ３と、ペンの軌跡の終了位置とＮ２を結ぶ直線ＬＬ４とが交わる角度をｄ０とする。この時、図１０（ｃ）に示すように、Ｎ２点を中心に、角度ｄ０で裏面画像表示領域２３を回転した図形を新たな裏面画像表示領域２３としてページめくりの形状を算出する。ここでは、Ｎ１の回転後の点をＮ１’、Ｎ３の回転後の点をＮ３’としている。裏面画像表示領域２３がその他の多角形の場合も各頂点に対して同様に回転演算を行えばよい。また、ｄ０がマイナスの場合は、裏面画像表示領域２３を逆方向に回転させればよい。
【００７１】
新たなペンの軌跡の開始位置がＡ３領域であった場合は、ペンの軌跡の開始位置とＮ１を結ぶ直線をＬＬ３とし、ペンの軌跡の終了位置とＮ１を結ぶ直線をＬＬ４として同様の回転処理を行えばよい。
【００７２】
また、図１０（ｄ）に示すように、新たなペンの軌跡の開始位置がＡ２領域であった場合は、ペンの軌跡の開始位置から０点までの距離とペンの軌跡の終了位置から０点までの距離の差分をｗ０とする。この時、図１０（ｅ）に示すように、裏面画像表示領域２３を０点からｗ０の距離だけ平行移動した図形（相似図形）を新たな裏面画像表示領域２３としてページめくりの形状を算出する。裏面画像表示領域２３がその他の多角形の場合も各頂点に対して同様に平行移動を行えばよい。また、ｗ０がマイナスの場合は、裏面画像表示領域２３を逆方向に平行移動させればよい。
【００７３】
［ページめくりの終了（ページの選択）］
ページめくり動作中に検出した新たなペンの軌跡において、開始位置と終了位置の距離が一定値以下の場合は、当該ページが選択されたものとして、ページめくりを終了し、上記ペンの軌跡が確定した時点でめくりページ画像表示領域２４に表示されていたページが選択されたものとして、ページめくり動作を終了し、当該ページを現ページ画像表示領域２２に表示すると共に、めくりページ画像表示領域２４及び裏面画像表示領域２３の表示を止める。
【００７４】
なお、ページの選択の判断は、終了位置にて一定時間以上ペンがタッチされ続けた場合としてもよい。または、前述したページめくり中の速度変化により、ページめくりの速度が一定値よりも小さくなった時点をページ選択と判断してもよい。
【００７５】
また、ページの選択の判断は、現ページ画像表示領域２２を開始とするペンタッチがあった場合としてもよい。または、新たなペンの軌跡において、開始位置が現ページ画像表示領域２２であり、終了位置がめくりページ画像表示領域２４又は裏面画像表示領域２３であった場合としてもよい。
【００７６】
次に、上記手法に基づくページめくりの手順について、図１１及び図１２のフローチャート図を参照して説明する。なお、以下の処理は主制御部１２ａ（コンテンツ表示制御プログラム）によって実行される。
【００７７】
まず、ページデータ格納部１３ａからコンテンツを読み込み（Ｓ１０１）、コンテンツの１ページ目の画像を表示部１４に表示させる（Ｓ１０２）。そして、外部イベントを監視し（Ｓ１０３）、外部イベントを検出したら、外部イベントの種類を判別する（Ｓ１０４）。
【００７８】
外部イベントがペン軌跡の検出の場合は、ペンタッチの開始位置／時刻、終了位置／時刻を特定してペンの軌跡を算出した後（Ｓ１０５）、ページめくり動作中であるかを判断する（Ｓ１０６）。
【００７９】
ページめくり動作中でなければ、ペンタッチ開始位置がページめくり開始エリア２１であるかを判断し（Ｓ１０７）、ページめくり開始エリア２１でなければ通常の入力処理を行って（Ｓ１１１）、ステップＳ１０３に戻る。
【００８０】
ページめくり開始エリア２１であれば、軌跡を描いた時間（Ｔｄｒａｗ）等に基づいてページめくりの速度を算出した後（Ｓ１０８）、軌跡の長さ（Ｐｌｅｎ）及び角度（Ｐｄ）等に基づいてページめくりの形状を算出し、現ページ画像表示領域２２、裏面画像表示領域２３及びめくりページ画像表示領域２４を確定する（Ｓ１０９）。そして、算出したページめくりの速度及び形状に基づいてページめくりを開始すると共に、ページめくりのタイマ監視を開始する（Ｓ１１０）。
【００８１】
そして、ステップＳ１０３に戻って、外部イベントを監視し、外部イベントがページめくり間隔のタイマ割り込みであれば、めくりページ（めくりページ画像表示領域２４に現在表示されているページ）が最終ページであるかを判断し（Ｓ１１９）、最終ページでなければめくりページを次ページにし（Ｓ１２０）、最終ページであればめくりページを１ページにして（Ｓ１２１）、画像表示を行い（Ｓ１２２）、ステップＳ１０３に戻る。
【００８２】
Ｓ１２２の画像の表示では、図１２に示すように、現ページの画像から現ページ画像表示領域２２に対応する部分を抽出して表示し（Ｓ２０１）、ページめくり動作中であるかを判断する（Ｓ２０２）。ここではページめくり動作中であるため、めくりページ−１のページ（めくりページが１ページ目の場合は最終ページ）の裏面の画像から裏面画像表示領域２３に対応する部分を抽出し、必要に応じて裏面画像表示領域２３の向きに合わせて抽出した画像を回転して表示し（Ｓ２０３）、めくりページの表面の画像からめくりページ画像表示領域２４に対応する部分を抽出して表示する（Ｓ２０４）。なお、上記画像の抽出や回転等の処理は一般的な画像処理であるため、説明は省略する。
【００８３】
図１１に戻って、ステップＳ１０６でページめくり動作中であれば、ペンタッチ開始位置がめくりページ画像表示領域２４であるかを判断し（Ｓ１１２）、めくりページ画像表示領域２４でなければ通常の入力処理を行って（Ｓ１１１）、ステップＳ１０３に戻る。
【００８４】
めくりページ画像表示領域２４であれば、軌跡を描いた時間（Ｔｄｒａｗ）等に基づいてめくり速度を算出した後（Ｓ１１３）、ページ選択であるかを判断し（Ｓ１１４）、ページ選択でなければ、ページめくりの速度をＳ１１３で算出した速度に変更すると共に、ページめくりのタイマ監視の間隔を変更して（Ｓ１１５）、Ｓ１０３に戻る。
【００８５】
ページ選択であれば、ページめくりを終了し（Ｓ１１６）、めくりページを選択ページとして（Ｓ１１７）、選択ページの画像表示を行い（Ｓ１１８）、ステップＳ１０３に戻る。
【００８６】
Ｓ１１８の画像の表示では、図１２に示すように、表示エリア２０全面に選択ページの画像を表示し（Ｓ２０１）、ページめくり動作中であるかを判断する（Ｓ２０２）。ここではページめくり動作中でないため、裏面画像表示領域２３の画像表示及びめくりページ画像表示領域２４の画像表示は行わない。
【００８７】
このように、本実施例では、表示エリア２０を現ページ画像表示領域２２と裏面画像表示領域２３とめくりページ画像表示領域２４とに分割し、現ページ画像表示領域２２の表示内容を変えずに、裏面画像表示領域２３とめくりページ画像表示領域２４の表示内容を順次、連続して変更するため、特定ページの内容を閲覧しつつ、その前後のページの内容を確認することができる。
【００８８】
また、タッチ開始位置／時刻及びタッチ終了位置／時刻に基づいて、軌跡の長さ、方向、軌跡を描いた時間を算出し、それらに基づいてページめくりの速度及び形状を決定／変更するため、一度の操作で、簡便かつ確実にページめくりを制御することができ、紙媒体と同様の感覚での操作を実現することができる。
【００８９】
なお、本発明は上記実施例に限定されるものではなく、本発明の趣旨を逸脱しない限りにおいて適宜変更可能である。例えば、上記実施例では、現ページ画像表示領域２２に各ページの表面（又は裏面）の画像が表示される構成としたが、現ページ画像表示領域２２の左側に所定のページの裏面の画像が表示され、右側に次のページの表面の画像が表示される（すなわち、見開き状に表示される）構成としてもよい。その場合は、右側の表面のページに対してページめくりができるようにしてもよいし、左側の裏面のページに対してページめくりができるようにしてもよいし、両側のページに対してページめくりができるようにしてもよい。
【産業上の利用可能性】
【００９０】
本発明は、コンテンツを表示する機能とタッチパネル機能を備えた表示端末、及び該表示端末におけるコンテンツの表示を制御するコンテンツ表示制御プログラムに利用可能である。
【符号の説明】
【００９１】
１０  表示端末
１１  ＣＰＵ
１２  ＲＯＭ
１２ａ  主制御部
１３  ＲＡＭ
１３ａ  ページデータ格納部
１３ｂ  制御情報格納部
１４  表示部
１５  入力部
２０  表示エリア
２１  めくり開始エリア
２２  現ページ画像表示領域
２３  裏面画像表示領域
２４  めくりページ画像表示領域
２５  表示外領域
【図１】
2010204891.tif 000003
【図２】
2010204891.tif 000004
【図３】
2010204891.tif 000005
【図４】
2010204891.tif 000006
【図５】
2010204891.tif 000007
【図６】
2010204891.tif 000008
【図７】
2010204891.tif 000009
【図８】
2010204891.tif 000010
【図９】
2010204891.tif 000011
【図１０】
2010204891.tif 000012
【図１１】
2010204891.tif 000013
【図１２】
2010204891.tif 000014